(57)【要約】【課題】製造工程を簡略化して生産効率を向上させたゴルフクラブヘッドの製造方法を提供すること。【解決手段】本ゴルフクラブヘッドの製造方法は、段差部を有するヘッド第１パーツを準備する工程と、前記ヘッド第１パーツに固着されるヘッド第２パーツを準備する工程と、前記ヘッド第１パーツの前記段差部の側壁から離間した位置からマスキングし、前記ヘッド第１パーツに塗装を施した後、マスキングを除去する工程と、前記ヘッド第２パーツを、前記ヘッド第１パーツの前記段差部に固着する工程と、を有する。【選択図】図５
2019092586.tif 000002
【特許請求の範囲】
【請求項１】
段差部を有するヘッド第１パーツを準備する工程と、
前記ヘッド第１パーツに固着されるヘッド第２パーツを準備する工程と、
前記ヘッド第１パーツの前記段差部の側壁から離間した位置からマスキングし、前記ヘッド第１パーツに塗装を施した後、マスキングを除去する工程と、
前記ヘッド第２パーツを、前記ヘッド第１パーツの前記段差部に固着する工程と、を有するゴルフクラブヘッドの製造方法。
【請求項２】
前記ヘッド第１パーツを準備する工程は、更に、前記ヘッド第１パーツの表面を研磨する工程を含む請求項１に記載のゴルフクラブヘッドの製造方法。
【請求項３】
前記段差部の側壁から離間した位置は、０．５ｍｍ以上１０ｍｍ以下である請求項１または２に記載のゴルフクラブヘッドの製造方法。
【請求項４】
前記段差部は開口を囲むように形成され、前記段差部のマスキングされた部分の幅は、０．５ｍｍ以上１０ｍｍ以下である請求項１乃至３の何れか一項に記載のゴルフクラブヘッドの製造方法。
【発明の詳細な説明】
【技術分野】
【０００１】
本発明は、ゴルフクラブヘッドの製造方法に関する。
【背景技術】
【０００２】
従来のゴルフクラブヘッドの製造方法では、例えば、２つのパーツを準備する工程と、準備した２つのパーツを固着する工程とを有している。また、２つのパーツの境界部分を目立ち難くするために、境界部分の近傍に研磨や塗装を施す工程を有している。しかしながら、２つのパーツを固着後に研磨や塗装を施す工程は煩雑であり、生産効率を低下させる一因となっていた。
【先行技術文献】
【特許文献】
【０００３】
【特許文献１】特開２０１４−００４０９８号公報
【特許文献２】特開２００５−２９６６０９号公報
【特許文献３】特表２０１０−５２３２１７号公報
【特許文献４】特表２０１６−５１２１５９号公報
【特許文献５】特表２０１０−５３０７８３号公報
【特許文献６】特開２００６−１８１０６３号公報
【発明の概要】
【発明が解決しようとする課題】
【０００４】
本発明は、製造工程を簡略化して生産効率を向上させたゴルフクラブヘッドの製造方法を提供することを目的とする。
【課題を解決するための手段】
【０００５】
本ゴルフクラブヘッドの製造方法は、段差部を有するヘッド第１パーツを準備する工程と、前記ヘッド第１パーツに固着されるヘッド第２パーツを準備する工程と、前記ヘッド第１パーツの前記段差部の側壁から離間した位置からマスキングし、前記ヘッド第１パーツに塗装を施した後、マスキングを除去する工程と、前記ヘッド第２パーツを、前記ヘッド第１パーツの前記段差部に固着する工程と、を有することを要件とする。
【発明の効果】
【０００６】
開示の技術によれば、製造工程を簡略化して生産効率を向上させたゴルフクラブヘッドの製造方法を提供できる。
【図面の簡単な説明】
【０００７】
【図１】本実施の形態に係るゴルフクラブヘッド１を例示する図である。
【図２】本実施の形態に係るゴルフクラブヘッド１の製造工程を例示する図（その１）である。
【図３】本実施の形態に係るゴルフクラブヘッド１の製造工程を例示する図（その２）である。
【図４】本実施の形態に係るゴルフクラブヘッド１の製造工程を例示する図（その３）である。
【図５】本実施の形態に係るゴルフクラブヘッド１の製造工程を例示する図（その４）である。
【図６】本実施の形態に係るゴルフクラブヘッド１の製造工程を例示する図（その５）である。
【発明を実施するための形態】
【０００８】
以下、図面を参照して、実施の形態の説明を行う。なお、各図面において、同一構成部分には同一符号を付し、重複した説明を省略する場合がある。
【０００９】
図１は、本実施の形態に係るゴルフクラブヘッド１を例示する図であり、図１（ａ）は平面図、図１（ｂ）は右側面図である。
【００１０】
図１に示すゴルフクラブヘッド１は、ウッド型のゴルフクラブヘッドであって、例えばドライバであるが、ユーティリティやフェアウェイウッドであってもよい。また、ゴルフクラブヘッド１は、複数の部品を接合して組み立てることができる。以下、ゴルフクラブヘッド１について詳説する。
【００１１】
ゴルフクラブヘッド１は、ヘッド第１パーツ１０と、ヘッド第１パーツ１０に固着されたヘッド第２パーツ２０とを有する中空構造体である。なお、中空構造体の内側の面をヘッド内面、外側の面をヘッド外面と称する場合がある。
【００１２】
ヘッド第１パーツ１０は、フェース部１１と、クラウン部１２と、ソール部１３と、サイド部１４と、ホゼル部１５とを有する。
【００１３】
フェース部１１は、打撃面となるフェース面を備えた部分である。クラウン部１２は、ヘッド第２パーツ２０と共にゴルフクラブヘッド１の上部を形成する部分である。クラウン部１２とヘッド第２パーツ２０の詳細な構造については後述する。ソール部１３は、ゴルフクラブヘッド１の底部を形成する部分である。サイド部１４は、クラウン部１２とソール部１３とを繋ぐ部分である。ホゼル部１５は、シャフトと連結される部分である。
【００１４】
図２〜図６は、本実施の形態に係るゴルフクラブヘッド１の製造工程を例示する図である。なお、図面をわかりやすくするため、実際とは異なる縮尺で図示する場合がある。
【００１５】
まず、図２に示す工程では、ヘッド第１パーツ１０を準備する。図２（ａ）はヘッド第１パーツ１０を上面側から視た斜視図、図２（ｂ）はヘッド第１パーツ１０の右側面図、図２（ｃ）は図２（ｂ）のＡ部近傍の部分拡大断面図、図２（ｄ）は図２（ｂ）のＢ部近傍の部分拡大断面図である。
【００１６】
ヘッド第１パーツ１０は、例えば、鋳造、鍛造、３Ｄプリンタ、その他の成形方法等により作製することができる。ヘッド第１パーツ１０の材料としては、例えば、金属材料、非金属材料、金属材料よりも低比重の材料等を用いることができる。具体的な材料としては、例えば、チタン、チタン合金、ステンレス、アルミニウム、アルミニウム合金、マグネシウム、マグネシウム合金、繊維強化樹脂等が挙げられる。
【００１７】
ここでは、一例として、ヘッド第１パーツ１０の材料としてチタン合金を用い、鋳造で図２に示すヘッド第１パーツ１０を作製するものとする。ヘッド第１パーツ１０を作製する過程において、ヘッド第１パーツ１０の表面を研磨する工程、フェース部１１のフェース面にスコアラインを機械加工する工程、ホゼル穴を機械加工する工程等が行われる。
【００１８】
これらの工程を経て作製された図２に示すヘッド第１パーツ１０において、クラウン部１２は、開口１２１と、開口１２１を囲むように形成された段差部１２２とを有する。段差部１２２は、ヘッド外面よりも一段下がったところに位置しており、ヘッド第２パーツ２０の外縁部を位置決めし、保持し、固着することができる。
【００１９】
次に、図３に示す工程では、ヘッド第２パーツ２０を準備する。図３（ａ）はヘッド第２パーツ２０を上面側から視た斜視図、図３（ｂ）はヘッド第２パーツ２０の右側面図である。なお、図３（ａ）及び図３（ｂ）では、便宜上、ヘッド第２パーツ２０と同一方向から視たヘッド第１パーツ１０を、ヘッド第２パーツ２０と共に示している。
【００２０】
ヘッド第２パーツ２０は、例えば、鋳造、鍛造、３Ｄプリンタ、その他の成形方法等により作製することができる。ヘッド第２パーツ２０の材料としては、例えば、金属材料、非金属材料、金属材料よりも低比重の材料等を用いることができる。具体的な材料としては、例えば、チタン、チタン合金、ステンレス、アルミニウム、アルミニウム合金、マグネシウム、マグネシウム合金、繊維強化樹脂等が挙げられる。
【００２１】
ここでは、一例として、ヘッド第２パーツ２０の材料として、繊維強化樹脂を用い、金型で図３に示すヘッド第２パーツ２０を作製するものとする。必要に応じ、ヘッド第２パーツ２０に塗装等を施してもよい。また、必要に応じ、ヘッド第２パーツ２０の表面全体の研磨、機械加工等の処理を行ってもよい。
【００２２】
ヘッド第２パーツ２０は、クラウンパーツである。ヘッド第２パーツ２０は、ヘッド第１パーツ１０のクラウン部１２の段差部１２２に取り付けられ、開口１２１を閉じる。
【００２３】
次に、図２に示す工程で作製したヘッド第１パーツ１０のクラウン部１２とサイド部１４に塗装をする。ヘッド第１パーツ１０の塗装は、例えば、以下に示す手順で行うことができる。
【００２４】
まず、図４に示すように、クラウン部１２の段差部１２２の側壁１２２ｓから離間した位置から開口１２１にかけてマスキングテープ２００を配置してマスキングする。つまり、段差部１２２の一部と開口１２１がマスキングされた状態となる。図４（ａ）はヘッド第１パーツ１０の平面図、図４（ｂ）は図４（ａ）のＡ−Ａ線に沿う部分拡大断面図である。なお、後述の図５（ａ）、図５（ｂ）、図６（ａ）、及び図６（ｂ）においても、図４（ｂ）に対応する断面を示す。
【００２５】
図４（ｂ）において、段差部１２２の側壁１２２ｓから段差部１２２の側壁１２２ｓと対向するマスキングテープ２００の側壁２００ｓまでの距離Ｌ（段差部１２２の側壁１２２ｓから離間した位置）は、例えば、ヘッド外面に沿って０．５ｍｍ以上１０ｍｍ以下である。また、段差部１２２のマスキングされた部分の幅Ｗは、例えば、ヘッド外面に沿って０．５ｍｍ以上１０ｍｍ以下である。
【００２６】
次に、マスキングテープ２００に加え、フェース部１１とソール部１３もマスキング（図示せず）した上で、図５（ａ）に示すように、クラウン部１２とサイド部１４に塗装を施し、塗装部３００を形成する。塗装部３００を形成した後、図５（ｂ）に示すように、マスキングテープ２００及びフェース部１１とソール部１３のマスキングテープ（図示せず）を除去する。これにより、クラウン部１２とサイド部１４に塗装部３００が形成され、塗装部３００はクラウン部１２の段差部１２２の側壁１２２ｓより内側に延在する。
【００２７】
なお、マスキングテープ２００上に塗装されてもよい。マスキングテープ２００上の塗装は、マスキングテープ２００と共に除去される。
【００２８】
次に、図６に示す工程では、ヘッド第２パーツ２０を、ヘッド第１パーツ１０の段差部１２２に固着する。具体的には、まず、図６（ａ）に示すように、クラウン部１２の段差部１２２の塗装部３００が形成されていない領域に接着剤４００を塗布する。接着剤４００がクラウン部１２の外面にはみ出した場合には、拭き取り等を行う。接着剤４００としては、例えば、エポキシ系接着剤、ウレタン系接着剤、シリコン系接着剤等を用いることができる。また、接着剤４００として両面テープ等を用いてもよい。
【００２９】
次に、図６（ｂ）に示すように、ヘッド第２パーツ２０を、例えば、ヘッド第２パーツ２０の側壁２０ｓが段差部１２２の側壁１２２ｓに形成された塗装部３００と当接するように、段差部１２２に設けられた塗装部３００及び接着剤４００上に配置し、開口１２１を閉じる。
【００３０】
そして、接着剤４００を硬化させることで、ヘッド第２パーツ２０が接着剤４００によりヘッド第１パーツ１０の段差部１２２に固着され、図６（ｃ）に示すゴルフクラブヘッド１が完成する。
【００３１】
従来のゴルフクラブヘッドの製造方法では、ヘッド第２パーツをヘッド第１パーツに固着後、ヘッド第１パーツとヘッド第２パーツとの境界部分を研磨し、研磨した部分に塗装を施していた。この研磨及び塗装は、ヘッド第１パーツとヘッド第２パーツとの境界部分を目立ち難くするために行うものであるため、両者を固着した後に行う必要があった。このとき、境界部分を跨いでヘッド第２パーツの外縁部にも塗装が施されるため、ヘッド第２パーツの視認できる領域が減少し、デザイン性が低下する問題もあった。
【００３２】
これに対して、本実施の形態に係るゴルフクラブヘッド１の製造方法では、ヘッド第２パーツ２０をヘッド第１パーツ１０に固着する前にヘッド第１パーツ１０の表面を研磨し、ヘッド第１パーツ１０を塗装してからヘッド第２パーツ２０を固着する。具体的には、ヘッド第１パーツ１０の表面を研磨後、クラウン部１２の外面からクラウン部１２の段差部１２２の側壁１２２ｓより内側に延在するように塗装部３００を形成し、段差部１２２に設けられた塗装部３００を覆うようにヘッド第２パーツ２０を配置してヘッド第１パーツ１０に固着する。
【００３３】
これにより、ヘッド第１パーツ１０とヘッド第２パーツ２０との境界部分における外観を向上できるため、ヘッド第２パーツ２０をヘッド第１パーツ１０に固着後、改めて境界部分の研磨や塗装を行う必要がない。すなわち、ヘッド第１パーツ１０とヘッド第２パーツ２０との固着後の境界部分の研磨工程及び塗装工程を省略することが可能となり、製造工程を簡略化して生産効率を向上することができる。
【００３４】
また、本実施の形態に係るゴルフクラブヘッド１の製造方法では、従来のように、境界部分を目立ち難くするために、境界部分を跨いでヘッド第２パーツの外縁部にヘッド第１パーツと同様の塗装が施されることがない。そのため、ヘッド第２パーツ２０の視認できる領域が減少することがなく、ヘッド第２パーツ２０の外部露出範囲を大きくすることが可能となり、ゴルフクラブヘッド１のデザイン性を向上できる。
【００３５】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００３６】
例えば、上記の実施の形態では、ヘッド第１パーツ１０のクラウン部１２の開口１２１を閉じるようにヘッド第２パーツ２０を固着したが、開口を有する部分はクラウン部１２には限定されず、フェース部１１やソール部１３等であっても構わない。
【符号の説明】
【００３７】
１  ゴルフクラブヘッド
１０  ヘッド第１パーツ
１１  フェース部
１２  クラウン部
１３  ソール部
１４  サイド部
１５  ホゼル部
２０  ヘッド第２パーツ
２０ｓ、１２２ｓ、２００ｓ  側壁
１２１  開口
１２２  段差部
２００  マスキングテープ
３００  塗装部
４００  接着剤
【図１】
2019092586.tif 000003
【図２】
2019092586.tif 000004
【図３】
2019092586.tif 000005
【図４】
2019092586.tif 000006
【図５】
2019092586.tif 000007
【図６】
2019092586.tif 000008